(57)【要約】【課題】第１電極及び第２電極の位置誤差による微弱放電や誤放電を防止することのできるプラズマ表示装置及びその駆動方法を提供する。【解決手段】複数の第１電極Ｙ及び複数の第２電極Ｘと、第１電極Ｙ及び第２電極Ｘと交差するように形成される複数の第３電極Ａとを含み、第１電極Ｙ及び第２電極Ｘと第３電極Ａとが交差する領域に放電セル１８が形成され、列方向に隣接する放電セル１８間の電極構造が相互に違なり、閉鎖型の隔壁構造を有する制御型プラズマ表示パネル１００を備えたプラズマ表示装置の駆動方法であって、サブフィールドのアドレス期間において、第１幅Ｌ１を有するスキャンパルスを奇数番目の第１電極Ｙに印加する第１段階と、第１幅Ｌ１とは異なる第２幅Ｌ２を有するスキャンパルスを偶数番目の第１電極Ｙに印加する第２段階と含むようにした。【選択図】図１０
2008129591.tif 000002
【特許請求の範囲】
【請求項１】
複数の第１電極及び複数の第２電極と、前記第１電極及び前記第２電極と交差するように形成される複数の第３電極とを含み、前記第１電極及び前記第２電極と前記第３電極とが交差する領域に放電セルが形成され、列方向に隣接する放電セルの電極構造が相互に違なり、閉鎖型の隔壁構造を有する制御型プラズマ表示パネルを備えたプラズマ表示装置の駆動方法であって、
サブフィールドのアドレス期間において、
第１幅を有するスキャンパルスを奇数番目の前記第１電極に印加する第１段階と、
前記第１幅とは異なる第２幅を有するスキャンパルスを偶数番目の前記第１電極に印加する第２段階と含むこと、
を特徴とするプラズマ表示装置の駆動方法。
【請求項２】
前記第１段階及び前記第２段階は、
前記制御型プラズマ表示パネルが、前記第１電極及び前記第２電極に対する位置合わせ誤差を有する場合に実行されることを特徴とする請求項１に記載のプラズマ表示装置の駆動方法。
【請求項３】
前記第１幅及び前記第２幅は、前記奇数番目の第１電極が前記放電セル内で占める面積及び前記偶数番目の第１電極が前記放電セル内で占める面積により決定されることを特徴とする請求項１または請求項２のいずれか１項に記載のプラズマ表示装置の駆動方法。
【請求項４】
前記奇数番目の第１電極が前記放電セル内で占める面積が、前記偶数番目の第１電極が前記放電セル内で占める面積よりも大きい場合に、前記第２幅を前記第１幅よりも広くすることを特徴とする請求項３に記載のプラズマ表示装置の駆動方法。
【請求項５】
前記第１幅は、隔壁の位置合わせ誤差がない前記制御型プラズマ表示パネルの前記第１電極に印加されるスキャンパルスの幅と同じであることを特徴とする請求項４に記載のプラズマ表示装置の駆動方法。
【請求項６】
前記第２幅は、前記偶数番目の第１電極が前記放電セル内で占める面積が小さいほど広く設定されることを特徴とする請求項５に記載のプラズマ表示装置の駆動方法。
【請求項７】
複数の第１電極及び複数の第２電極と、前記第１電極及び前記第２電極と交差するように形成される複数の第３電極とを含み、前記第１電極及び前記第２電極と前記第３電極とが交差する領域に放電セルが形成され、列方向に隣接する放電セルの電極構造が相互に異なり、閉鎖型の隔壁構造を有する制御型プラズマ表示パネルと、
１フレームをそれぞれ、リセット期間、アドレス期間及び維持期間を含む複数のサブフィールドに分けて駆動する制御部と、
前記制御部の制御によりスキャンパルスを生成して、前記アドレス期間に前記複数の第１電極に印加する第１電極駆動部とを含み、
前記第１電極駆動部は、
前記スキャンパルスのうち第１幅を有するスキャンパルスを奇数番目の前記第１電極に印加し、前記第１幅とは異なる第２幅を有するスキャンパルスを偶数番目の前記第１電極に印加すること、
を特徴とするプラズマ表示装置。
【請求項８】
前記プラズマ表示パネルは、
前記第１電極及び前記第２電極に対する位置合わせ誤差を有することを特徴とする請求項７に記載のプラズマ表示装置。
【請求項９】
前記第１幅及び前記第２幅は、前記奇数番目の第１電極が前記放電セル内で占める面積及び前記偶数番目の第１電極が前記放電セル内で占める面積により決定されることを特徴とする請求項７または請求項８のいずれか１項に記載のプラズマ表示装置。
【請求項１０】
前記奇数番目の第１電極が前記放電セル内で占める面積が、前記偶数番目の第１電極が前記放電セル内で占める面積よりも大きい場合に、前記第２幅を前記第１幅よりも広くすることを特徴とする請求項９に記載のプラズマ表示装置。
【請求項１１】
前記第１幅は、隔壁の位置合わせ誤差がない前記制御型プラズマ表示パネルの前記第１電極に印加されるスキャンパルスの幅と同じであることを特徴とする請求項１０に記載のプラズマ表示装置。
【請求項１２】
前記第２幅は、前記偶数番目の第１電極が前記放電セル内で占める面積が小さいほど広く設定されることを特徴とする請求項１１に記載のプラズマ表示装置。
【発明の詳細な説明】
【技術分野】
【０００１】
本発明はプラズマ表示装置及びその駆動方法に関する。
【背景技術】
【０００２】
プラズマ表示装置は、気体放電によって生成されたプラズマを用いて文字または映像を表示する平面表示装置であって、他の表示装置と比較すると、輝度及び発光効率が高く、視野角が広いといった長所を有する。このような長所により、プラズマ表示装置は、特に４０インチ以上の大型の表示装置において、従来の陰極線管を代替する表示装置として脚光を浴びている。
【０００３】
一般に、プラズマ表示装置の表示パネルは、列方向に延長される複数のアドレス電極（以下、“Ａ電極”という）と、上記複数のＡ電極と交差（通常は直交）して行方向に相互に対あるいは組を構成して延長される、複数の維持電極（以下、“Ｘ電極”という）及び複数の走査電極（以下、“Ｙ電極”という）とを含む。このようにＸ電極とＹ電極とが列方向に順次に配列された構造を“ＸＹＸＹ配列構造”という。ここで、Ａ電極、Ｘ電極及びＹ電極によって形成される空間は、１つの放電セルを構成する。
【０００４】
かかるプラズマ表示装置は、プラズマ表示パネルに形成された放電セルの数によって解像度が決定されるが、最近のプラズマ表示パネルの開発においては、解像度を極めて高くする方向、すなわち、高精細を実現する方向で開発が行われている。
【０００５】
高精細を達成するためには、プラズマ表示パネルに形成される放電セルのサイズを小さくして、放電セルの数を増加させなければならない。一方、放電セルの数を増加すると、全体的なキャパシタンスが増加するため、放電セルのサイズが小さいほど放電効率が低下するとういう問題が発生する。
【０００６】
そこで、このような高精細によるキャパシタンスの増加を解消するために、Ｘ電極及びＹ電極のＸＹＸＹ配列構造を変形した、新たなＸＹ配列構造が開発された。かかるＸＹ配列構造においては、放電効率を補償するために、放電セルの隔壁構造を閉鎖型隔壁構造にして、蛍光体の塗布面積を広げている。ＸＹＸＹ配列構造における従来型の隔壁構造は、一般に、帯状の隔壁構造を有し、Ｘ電極とＹ電極との間に隔壁を設けて隣接するセル間を隔壁によって遮断していた。これに対し、上記のような閉鎖型隔壁構造は、それぞれの放電セルを隔壁で取り囲んだ構造を有する。
【発明の開示】
【発明が解決しようとする課題】
【０００７】
しかし、上記のような新たなＸＹ配列構造を有するプラズマ表示装置においては、隔壁の位置にずれが生じることなどにより、隣接する放電セル間の電極構造（つまり、Ｘ電極とＹ電極の配置構造）が異なってしまう場合がある。そして、閉鎖型隔壁構造を有するプラズマ表示パネル（以下、“制御型プラズマ表示パネル”という）においては、隔壁の位置ずれによってＸ電極及びＹ電極に対する位置合わせ誤差が発生すると、偶数番目ラインと奇数番目ラインのうちの何れか１つのライン（行方向に続くセル群）にある放電セルのＹ電極の面積が隣接ラインにある放電セルのＹ電極の面積より狭くなるような事態が発生する。すなわち、閉鎖型隔壁構造を有するプラズマ表示パネルの隔壁に位置ずれが生じると、ある放電セルのＹ電極の面積が、当該放電セルに対して列方向（アドレス電極が延長される方向）に隣接する放電セルのＹ電極の面積と異なるといった現象が生じることになる。
【０００８】
このような、Ｙ電極の面積が相互に異なるそれぞれの放電セルに対して、アドレス期間に同一のスキャンパルスが印加されると、Ｙ電極の面積が広い放電セルでは正常なアドレス放電が発生するが、Ｙ電極の面積が狭い放電セルでは弱放電または誤放電が発生する恐れがある。
【０００９】
そこで、本発明は、このような問題に鑑みてなされたもので、その目的とするところは、隔壁の位置に誤差を有する制御型プラズマ表示パネル（閉鎖型隔壁構造を有するプラズマ表示パネル）において、アドレス期間における弱放電または誤放電を防止することができるプラズマ表示装置及びその駆動方法を提供することにある。
【課題を解決するための手段】
【００１０】
上記課題を解決するために、本発明のある観点によれば、複数の第１電極（走査電極またはＹ電極）及び複数の第２電極（維持電極またはＸ電極）と、上記第１電極及び上記第２電極と交差するように形成される複数の第３電極（アドレス電極またはＡ電極）とを含み、上記第１電極及び上記第２電極と上記第３電極とが交差する領域に放電セルが形成され、列方向に隣接する放電セルの電極構造が相互に違なり、閉鎖型の隔壁構造を有する制御型プラズマ表示パネルを備えたプラズマ表示装置の駆動方法であって、サブフィールドのアドレス期間において、第１幅を有するスキャンパルスを奇数番目の上記第１電極に印加する第１段階と、上記第１幅とは異なる第２幅を有するスキャンパルスを偶数番目の上記第１電極に印加する第２段階と含むこと、を特徴とするプラズマ表示装置の駆動方法が提供される。
【００１１】
このような本発明にかかるプラズマ表示装置の駆動方法によれば、アドレス期間に上記第１電極に印加されるスキャンパスルの幅を、上記第１電極の奇数ラインと偶数ラインとで異ならせることにより、上記奇数ラインの第１電極と上記偶数ラインの第１電極とに、異なる時間だけ所定の電圧を印加することができる。
【００１２】
このとき、上記第１段階及び上記第２段階は、上記制御型プラズマ表示パネルが、上記第１電極及び上記第２電極に対する位置合わせ誤差を有する場合に実行される。ここで、上記位置合わせ誤差は、例えば、プラズマ表示パネルの隔壁が上記第１電極及び上記第２電極に対してずれて配設された場合などに生じる。すなわち、上記制御型プラズマ表示パネルに上記第１電極及び上記第２電極に対する隔壁の位置合わせ誤差があると、上記第１電極の奇数ラインまたは上記第１電極の偶数ラインのいずれかのラインにおいて、各放電セル内で上記第１電極が占める面積が正規の面積よりも小さくなる。このような第１電極の占有面積が小さくなった放電セルにおいては、第１電極と第３電極との電位差がアドレス放電を発生させ得る所定の電位差に達せず、微弱放電や誤放電が生じる恐れがあるが、かかるラインの第１電極に印加されるスキャンパルスの幅を通常のパルス幅とは異ならせることにより、微弱放電や誤放電を防止することができる。
【００１３】
ここで、上記第１幅及び上記第２幅は、上記奇数番目の第１電極が上記放電セル内で占める面積及び上記偶数番目の第１電極が上記放電セル内で占める面積により決定されるのがよい。
【００１４】
具体的には、上記奇数番目の第１電極が上記放電セル内で占める面積が、上記偶数番目の第１電極が上記放電セル内で占める面積よりも大きい場合に、上記第２幅を上記第１幅よりも広くするのがよい。すなわち、第１電極が放電セル内で占める面積が小さい場合に、アドレス期間における放電が微弱放電になってアドレス放電が正常に行われなくなる恐れがあるため、スキャンパルスの幅を通常よりも広くすれば、上記微弱放電を防止することができる。
【００１５】
このとき、上記第１幅は、隔壁の位置合わせ誤差がない上記制御型プラズマ表示パネルの上記第１電極に印加されるスキャンパルスの幅と同じであるのがよい。
【００１６】
また、上記第２幅は、上記偶数番目の第１電極が上記放電セル内で占める面積が小さいほど広く設定されるのがよい。
【００１７】
上記課題を解決するために、本発明の別の観点によれば、複数の第１電極（走査電極またはＹ電極）及び複数の第２電極（維持電極またはＸ電極）と、上記第１電極及び上記第２電極と交差するように形成される複数の第３電極（アドレス電極またはＡ電極）とを含み、上記第１電極及び上記第２電極と上記第３電極とが交差する領域に放電セルが形成され、列方向に隣接する放電セルの電極構造が相互に異なり、閉鎖型の隔壁構造を有する制御型プラズマ表示パネルと、１フレームをそれぞれ、リセット期間、アドレス期間及び維持期間を含む複数のサブフィールドに分けて駆動する制御部と、上記制御部の制御によりスキャンパルスを生成して、上記アドレス期間に上記複数の第１電極に印加する第１電極駆動部とを含み、上記第１電極駆動部は、上記スキャンパルスのうち第１幅を有するスキャンパルスを奇数番目の上記第１電極に印加し、上記第１幅とは異なる第２幅を有するスキャンパルスを偶数番目の上記第１電極に印加すること、を特徴とするプラズマ表示装置が提供される。
【００１８】
このような本発明にかかるプラズマ表示装置によれば、、アドレス期間に上記第１電極に印加されるスキャンパスルの幅を、上記第１電極の奇数ラインと偶数ラインとで異ならせることにより、上記奇数ラインの第１電極と上記偶数ラインの第１電極とに、異なる時間だけ所定の電圧を印加することができる。
【００１９】
このとき、上記プラズマ表示パネルは、上記第１電極及び上記第２電極に対する位置合わせ誤差を有する。ここで、上記位置合わせ誤差は、例えば、プラズマ表示パネルの隔壁が上記第１電極及び上記第２電極に対してずれて配設された場合などに生じる。すなわち、上記制御型プラズマ表示パネルに上記第１電極及び上記第２電極に対する隔壁の位置合わせ誤差があると、上記第１電極の奇数ラインまたは上記第１電極の偶数ラインのいずれかのラインにおいて、各放電セル内で上記第１電極が占める面積が正規の面積よりも小さくなる。このような第１電極の占有面積が小さくなった放電セルにおいては、第１電極と第３電極との電位差がアドレス放電を発生させ得る所定の電位差に達せず、微弱放電や誤放電が生じる恐れがあるが、かかるラインの第１電極に印加されるスキャンパルスの幅を通常のパルス幅とは異ならせることにより、微弱放電や誤放電を防止することができる。
【００２０】
ここで、上記第１幅及び上記第２幅は、上記奇数番目の第１電極が上記放電セル内で占める面積及び上記偶数番目の第１電極が上記放電セル内で占める面積により決定されるのがよい。
【００２１】
具体的には、上記奇数番目の第１電極が上記放電セル内で占める面積が、上記偶数番目の第１電極が上記放電セル内で占める面積よりも大きい場合に、上記第２幅を上記第１幅よりも広くするのがよい。すなわち、第１電極が放電セル内で占める面積が小さい場合に、アドレス期間における放電が微弱放電になってアドレス放電が正常に行われなくなる恐れがあるため、スキャンパルスの幅を通常よりも広くすれば、上記微弱放電を防止することができる。
【００２２】
このとき、上記第１幅は、隔壁の位置合わせ誤差がない上記制御型プラズマ表示パネルの上記第１電極に印加されるスキャンパルスの幅と同じであるのがよい。
【００２３】
また、上記第２幅は、上記偶数番目の第１電極が上記放電セル内で占める面積が小さいほど広く設定されるのがよい。
【発明の効果】
【００２４】
以上説明したように本発明によれば、Ｘ電極及びＹ電極の位置合わせ誤差によって奇数番目の放電セルまたは偶数番目の放電セルで発生するアドレス期間における弱放電または誤放電を解消することができる。すなわち、本発明によれば、閉鎖型構造を有する隔壁とＸ電極及びＹ電極との間に位置ずれが生じてＸ電極またはＹ電極が放電セル内で占める面積が正規の面積よりも小さくなった場合、かかる電極にはアドレス期間に通常よりも幅の広いパルスが印加されるようにする。このようにして電圧の印加時間を長くすることにより、電極の占有面積が小さい放電セルにも所定の電圧を印加することができ、弱放電や誤放電を防止することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。図面においては、本発明を明確に説明するために、説明と関係のない部分については省略をしている。また、本発明は多様に異なる形態で実現することができるため、ここで説明する実施の形態に限定されるものではない。
【００２６】
図１は、本発明の実施の形態にかかるプラズマ表示装置の概略的な構成を示す図である。図１に示すように、本発明の実施の形態にかかるプラズマ表示装置は、制御型プラズマ表示パネル１００、制御部２００、アドレス駆動部（第３電極駆動部）３００、走査電極駆動部（第１電極駆動部）４００及び維持電極駆動部（第２電極駆動部）５００を含む。ここで、制御型プラズマ表示パネルとは、閉鎖型の隔壁構造を有するプラズマ表示パネルのことである。
【００２７】
制御型プラズマ表示パネル１００は、列方向に延長された複数の第３電極（以下、“Ａ電極”という）と、行方向に延長された複数の第２電極（以下、“Ｘ電極”という）及び第１電極（以下、Ｙ電極”という）とを含む。ここで、上記第２電極は維持電極であり、上記第１電極は走査電極であり、上記第３電極はアドレス電極であることができる。各Ｘ電極は、それぞれ各Ｙ電極に対応して形成され、一般にその一端が互いに共通に連結されることができる。そして、Ａ電極と、Ｘ電極及びＹ電極とが交差する領域にある放電空間が放電セルを形成する。上記放電セルは、隣接する放電セルとはそれぞれ隔壁によって区切られる閉鎖型隔壁構造を有し、また、列方向（アドレス電極が延長される方向）に隣接する放電セルとは互いに異なる電極構造を有する。制御型プラズマ表示パネルの各電極の配列構造及び放電セルの構造については、後に詳細に説明する。
【００２８】
制御部２００は、１フレームを、加重値を有する複数のサブフィールドに分割して階調を表示させる。このような階調表示を行うために、制御部２００は、外部から映像信号を受信して、アドレス駆動制御信号、維持電極駆動制御信号及び走査電極駆動制御信号を出力する。この時、制御部２００は、制御型プラズマ表示パネル１００のＸ電極とＹ電極の配列に位置合わせ誤差がなければ、アドレス期間に複数のＹ電極に印加されるスキャンパルスが設定された所定の正常パルスとなるようにする走査電極駆動制御信号を出力する。一方、制御部２００は、制御型プラズマ表示パネル１００のＸ電極とＹ電極の配列に位置合わせ誤差があれば、アドレス期間に複数のＹ電極に印加されるスキャンパルスのうち、偶数ラインまたは奇数ラインのいずれかのラインに印加されるスキャンパルスの幅が、上記所定の正常パルスのスキャンパルスの幅よりも広くなるようにする走査電極駆動制御信号を出力する。
【００２９】
アドレス駆動部３００は、制御部２００からアドレス駆動制御信号を受信して、表示しようとする放電セルを選択するための表示データ信号をそれぞれのＡ電極に印加する。
【００３０】
走査電極駆動部４００は、制御部２００から受信した走査電極駆動制御信号に従う駆動波形を生成して、これをＹ電極に印加する。この時、走査電極駆動部４００は、制御型プラズマ表示パネルに位置合わせ誤差がある場合、奇数ラインと偶数ラインのうちのいずれかのラインに印加されるスキャンパルスの幅を広くする。
【００３１】
維持電極駆動部５００は、制御部２００から受信した維持電極駆動制御信号に従う駆動波形を生成して、これをＸ電極に印加する。
【００３２】
次に、本発明の実施の形態にかかるプラズマ表示装置に備えられる制御型プラズマ表示パネルについて、図２〜図６を参照して説明する。
【００３３】
前述したように、制御型プラズマ表示パネルは、隣接する放電セルの電極構造が異なる異種配列構造を有し、放電セルの隔壁構造が閉鎖型の隔壁構造である、といった特徴を有する。
【００３４】
以下に、本発明の実施の形態にかかるプラズマ表示装置に備えられる制御型プラズマ表示パネルの異種配列構造の第１の例及び第２の例について、図２及び図３を参照して説明する。
【００３５】
先ず、隣接する放電セルの構造の第１の例について、図２を参照して説明する。図２は、本発明の実施の形態にかかるプラズマ表示装置に備えられた、プラズマ表示パネルの第１の例による構造を示す図である。図２に示された、制御型プラズマ表示パネルは、列方向に複数のアドレス電極（Ａ１、Ａ２、…、Ａｍ）が配列され、行方向に複数のＸ電極及び複数のＹ電極が配列される。このとき、Ｘ電極及びＹ電極は、パネルの上端に形成された１つのＹ電極（Ｙ１）と、パネルの下端に形成された１つのＹ電極（Ｙ８）との間に、対を構成する２つのＸ電極（Ｘ１、Ｘ２）と、別の対を構成する２つのＹ電極（Ｙ１、Ｙ２）とが交互に配置されるように配列される。一般に、図２に示されたようなＸ電極及びＹ電極の配列構造を、“ＸＸＹＹ配列構造”という。
【００３６】
このようなＸＸＹＹ配列構造においては、１つの放電セル１８は、Ｙ電極及びＸ電極と、１つのＡ電極とが交差する領域に形成される。
【００３７】
図２においては、隣接する放電セルの構造を比較するために、隣接する２個の放電セル１８だけを図面上に符号を付して表記した。隣接する２個の放電セル１８を参照すると、プラズマ表示パネルの上端側の放電セル１８は、上側にＹ電極が位置して下側にＸ電極が位置する。一方、プラズマ表示パネルの下端側の放電セル１８は、上側にＸ電極が位置して下側にＹ電極が位置する。つまり、隣接する２個の放電セルは、互いに異なる電極構造を有する。
【００３８】
次に、隣接する放電セルの構造の第２の例について、図３を参照して説明する。図３は、本発明の実施の形態にかかるプラズマ表示装置に備えられた、プラズマ表示パネルの第２の例による構造を示す図である。図３に示された制御型プラズマ表示パネルは、列方向に複数のアドレス電極（Ａ１、Ａ２、…、Ａｍ）が配列され、行方向に複数のＸ電極及び複数のＹ電極が配列される。このとき、Ｘ電極及びＹ電極は、パネルの上端に形成された１つのＹ電極（Ｙ１）と、パネルの下端に形成された１つのＹ電極（Ｙ８）との間に、１つのＸ電極（Ｘ１）と、対を構成する２つのＹ電極（Ｙ１、Ｙ２）とが交互に配置されるように配列される。一般に、図３に示されたようなＸ電極及びＹ電極の配列構造を“ＸＹＹ配列構造”という。
【００３９】
このようなＸＹＹ配列構造においては、１つの放電セル１８は、Ｙ電極及びＸ電極と、１つのＡ電極とが交差する領域に形成される。
【００４０】
図３においては、隣接する放電セルの構造を比較するために、隣接する２個の放電セル１８だけを図面上に符号を付して表記した。隣接する２個の放電セル１８を参照すると、プラズマ表示パネルの上端側の放電セル１８は、上側にＹ電極が位置して下側にＸ電極が位置する。一方、プラズマ表示パネルの下端側の放電セル１８は、上側にＸ電極が位置して下側にＹ電極が位置する。つまり、隣接する２個の放電セルは、互いに異なる電極構造を有する。
【００４１】
次に、本発明の実施の形態にかかるプラズマ表示装置に備えられる制御型プラズマ表示パネルの閉鎖型隔壁構造の第１の例、第２の例、及び第３の例について、図４〜図６を参照して説明する。
【００４２】
図４は、本発明の実施の形態にかかるプラズマ表示装置に備えられる制御型プラズマ表示パネルの第１の例による閉鎖型隔壁構造を示す図である。図４においては、第１の例による閉鎖型隔壁構造が、ＸＸＹＹ配列の異種配列構造の電極構造を有する制御型プラズマ表示パネルに適用されている。
【００４３】
図４に示されたように、隔壁１２は、行方向に形成された第１隔壁部材１２ａと、列方向に形成された第２隔壁部材１２ｂとを含んで構成される。この時、１つの第１隔壁部材１２ａは、列方向に隣接する放電セル間を区切るように形成され、１つの第２隔壁部材１２ｂは、行方向に隣接する放電セル間を区切るように形成される。
【００４４】
従って、それぞれの放電セル１８Ｒ、１８Ｇ、１８Ｂは、第１隔壁部材１２ａ及び第２隔壁部材１２ｂによって、隣接する全ての放電セルに対して区切られる。このようにして隔壁により区切られた放電セルの内部には、色相別に可視光を発散する蛍光体層が形成される。放電セルは、蛍光体層が発光する色相により、赤色放電セル１８Ｒ、緑色放電セル１８Ｇ、及び、青色放電セル１８Ｂに分けることができる。このように蛍光体層が形成された放電セル１８Ｒ、１８Ｇ、１８Ｂの内部には、ネオン、キセノンなどの混合された放電ガスが充填される。
【００４５】
そして、ＸＸＹＹ配列構造により対に並んだ２個のＸ電極（Ｘ１、Ｘ２）及びＹ電極（Ｙ２、Ｙ３）は、１つの第１隔壁部材１２ａに位置合わせされて配列される。このように配列されたＸ電極とＹ電極は、バス電極（図示せず）と透明電極１０、１１との組み合わせにより形成される。この時、Ｘ電極とＹ電極の透明電極１０、１１は対向する電極に向かって突出されるように形成される。
【００４６】
すなわち、上記Ｘ電極及びＹ電極は、ＸＸＹＹ配列構造となるように配列され、Ｘ電極はバス電極（図示せず）及び透明電極１０により構成され、Ｙ電極はバス電極（図示せず）及び透明電極１１により構成される。このとき、Ｘ電極を構成する透明電極は、放電セルを隔てて対向するＹ電極の方向に突出されるように形成され、Ｙ電極を構成する透明電極は、放電セルを隔てて対向するＸ電極の方向に突出されるように形成される。上記のような構成及び配列を有するＸ電極及びＹ電極は、第１隔壁部材１２ａに対して位置を合わせて配設されるのがよい。
【００４７】
次に、閉鎖型隔壁構造の第２の例について説明する。図５は、本発明の実施の形態にかかるプラズマ表示装置に備えられる制御型プラズマ表示パネルの第２の例による閉鎖型隔壁構造を示す図面である。図５においては、第２の例による閉鎖型隔壁構造が、ＸＸＹＹ配列の異種配列構造の電極構造を有する制御型プラズマ表示パネルに適用されている。
【００４８】
図５に示されたように、隔壁１２´は、行方向に形成された第１隔壁部材１２ａ´と、列方向に形成された第２隔壁部材１２ｂ´とを含んで構成される。この時、第１隔壁部材１２ａ´は、列方向に隣接する放電セルによって１つの隔壁部材が共有しないように２個が対に形成されており、２個の第１隔壁部材は互いに離隔されるようにチャンネルが形成される。すなわち、図４の第１の例による閉鎖型隔壁構造では、１つの第１隔壁部材１２ａが列方向に隣接する２つの放電セルに共有されたのに対し、第２の例による閉鎖型隔壁構造では、第１隔壁部材１２ａ´は、列方向に隣接する２つの放電セルによって隔壁部材が共有されないように、間にチャンネルが形成された対を成す２つの隔壁部材から成ることができる。
【００４９】
従って、２個の隔壁部材からなる第１隔壁部材１２ａ´は、隣接する列方向の放電セル間を区切ることができ、１つの第２隔壁部材１２ｂ´は、行方向に隣接する放電セル間を区切ることができる。これにより、それぞれの放電セル１８Ｒ、１８Ｇ、１８Ｂは、第１隔壁部材１２ａ´及び第２隔壁部材１２ｂ´によって、隣接する全ての放電セルに対して区切られる。
【００５０】
このようにして隔壁に区切られた放電セルの内部には、色相別に可視光を発散する蛍光体層が形成される。放電セルは、蛍光体層が発光する色相により、赤色放電セル１８Ｒ、緑色放電セル１８Ｇ、及び、青色放電セル１８Ｂに分けることができる。このように蛍光体層が形成された放電セル１８Ｒ、１８Ｇ、１８Ｂの内部には、ネオン、キセノンなどの混合された放電ガスが充填される。
【００５１】
そして、ＸＸＹＹ配列構造により対に並んだ２個のＸ電極（Ｘ１、Ｘ２）及びＹ電極（Ｙ２、Ｙ３）は対を構成する２個の第１隔壁部材１２ａ´にそれぞれ位置合わせされて配列される。このように配列されたＸ電極とＹ電極はバス電極（図示せず）と透明電極１０、１１との組み合わせにより形成される。この時、Ｘ電極とＹ電極の透明電極１０、１１は対向する電極に向かって突出されるように形成される。
【００５２】
すなわち、上記Ｘ電極及びＹ電極は、ＸＸＹＹ配列構造となるように配列され、Ｘ電極はバス電極（図示せず）及び透明電極１０により構成され、Ｙ電極はバス電極（図示せず）及び透明電極１１により構成される。このとき、Ｘ電極を構成する透明電極は、放電セルを隔てて対向するＹ電極の方向に突出されるように形成され、Ｙ電極を構成する透明電極は、放電セルを隔てて対向するＸ電極の方向に突出されるように形成される。上記のような構成及び配列を有するＸ電極及びＹ電極は、第１隔壁部材１２ａに対して位置を合わせて配設されるのがよい。
【００５３】
最後に、閉鎖型隔壁構造の第３の例について説明する。図６は、本発明の実施の形態にかかるプラズマ表示装置に備えられる制御型プラズマ表示パネルの第３の例による閉鎖型隔壁構造を示す図面である。図６においては、第３の例による閉鎖型隔壁構造が、ＸＸＹＹ配列の異種配列構造の電極構造を有する制御型プラズマ表示パネルに適用されている。
【００５４】
図６に示された閉鎖型隔壁構造は、図４及び図５に示された閉鎖型隔壁構造とは異なり、六角形の放電セルを形成する。つまり、隔壁は互いに異なる６個の方向に延長された６個の隔壁部材により構成される。そして、隔壁は１つの放電セルが隣接する放電セルに対して１つの方向に延長された隔壁部材によって区切られるように形成される。
【００５５】
それぞれの放電セル１８Ｒ、１８Ｇ、１８Ｂは、閉ループ形態に連結された６個の隔壁部材によって隣接する全ての放電セルに対して区切られる。このようにして隔壁により区切られた放電セルの内部には、色相別に可視光を発散する蛍光体層が形成される。放電セルは、蛍光体層が発光する色相により、赤色放電セル１８Ｒ、緑色放電セル１８Ｇ、及び、青色放電セル１８Ｂに分けることができる。このように蛍光体層が形成された放電セル１８Ｒ、１８Ｇ、１８Ｂの内部には、ネオン、キセノンなどの混合された放電ガスが充填される。
【００５６】
そして、上記のように構成された隔壁部材に対して、Ｘ電極及びＹ電極がそれぞれ位置合わせされて配設される。具体的には、１つの放電セルを形成する６個の隔壁部材のうち、その連結方向が行方向に連結される４個の隔壁部材に、Ｘ電極とＹ電極とをそれぞれ位置合わせして配設する。つまり、上記４個の隔壁部材のうち、互いに連結される第１隔壁部材及び第２隔壁部材の延長線にＸ電極を位置合わせして配設し、上記４個の隔壁のうち、互いに連結される第３隔壁部材及び第４隔壁部材の延長線にＹ電極を位置合わせして配設する。
【００５７】
Ｘ電極とＹ電極はバス電極（未表記）と透明電極１０、１１との組み合わせにより形成される。この時、Ｘ電極とＹ電極の透明電極１０、１１は対向する電極に向かって突出されるように形成される。
【００５８】
すなわち、Ｘ電極はバス電極（図示せず）及び透明電極１０により構成され、Ｙ電極はバス電極（図示せず）及び透明電極１１により構成される。このとき、Ｘ電極を構成する透明電極は、放電セルを隔てて対向するＹ電極の方向に突出されるように形成され、Ｙ電極を構成する透明電極は、放電セルを隔てて対向するＸ電極の方向に突出されるように形成される。
【００５９】
そして、上記のような隔壁部材に対して、Ｘ電極及びＹ電極を位置合わせして配設する。例えば、図６を参照すると、六角形の放電セル１８Ｇの図面上側の二辺が放電セル１８Ｇの上記第１隔壁部材及び上記第２隔壁部材となり、放電セル１８Ｂの図面上側の二辺が放電セル１８Ｂの上記第１隔壁部材及び上記第２隔壁部材となる。そして、放電セル１８Ｇの第１隔壁部材、放電セル１８Ｇの第２隔壁部材、放電セル１８Ｂの第１隔壁部材、放電セル１８Ｂの第２隔壁部材が連なる方向に沿ってＸ電極またはＹ電極を配設することができる。またこのとき、図６の六角形の放電セル１８Ｇの図面下側の二辺が放電セル１８Ｇの上記第３隔壁部材及び上記第４隔壁部材となり、放電セル１８Ｂの図面下側の二辺が放電セル１８Ｂの上記第３隔壁部材及び上記第４隔壁部材となる。そして、放電セル１８Ｇの第３隔壁部材、放電セル１８Ｇの第４隔壁部材、放電セル１８Ｂの第３隔壁部材、放電セル１８Ｂの第４隔壁部材が連なる方向に沿ってＸ電極またはＹ電極を配設することができる。
【００６０】
上記のような閉鎖型隔壁構造の放電セルは、帯状隔壁構造の放電セルと比較すると、隔壁によって区切られた限定空間でプラズマ放電が発生し、また、蛍光体層の面積も広いといった特徴を有する。
【００６１】
次に、プラズマ表示パネルのＸ電極及びＹ電極が、正規の位置にずれがなく配設された場合、及び、正規の位置に対してずれて配設された場合における、各放電セルの放電空間の面積（放電領域）について説明する。
【００６２】
先ず、図７を参照して、位置合わせ誤差がない制御型プラズマ表示パネルの放電セルにおける、維持電極及び走査電極の面積（すなわち、放電面積）について説明する。図７は、位置合わせ誤差がない制御型プラズマ表示パネルにおける、維持電極及び走査電極の面積を示した図である。
【００６３】
図７に示されたように、位置合わせ誤差がないということは、行方向に延長された第１隔壁部材と位置が一致するように、Ｘ電極のバス電極及びＹ電極のバス電極が形成されたことをいう。
【００６４】
位置合わせ誤差がない場合、各放電セルは、行方向の隔壁部材と列方向の隔壁部材によって区切られた空間Ａの全てを放電空間（放電領域）として使用することができる。そしてこのとき、放電空間内でＸ電極の透明電極１０とＹ電極の透明電極１１が占める面積（以下、 “第１面積” または“占有面積”という）は、透明電極１０と透明電極１１の自らの面積（以下、“第２面積” または“電極面積”という）と同じである。すなわち、位置合わせ誤差がない場合、各放電セルにおけるそれぞれのＹ電極の第１面積は、第２面積と同じになる。
【００６５】
従って、このような位置合わせ誤差のない制御型プラズマ表示パネルにおいては、各放電セルにアドレス期間において同じ幅のスキャンパルスが印加される。このとき、Ａ電極及びＹ電極の第１面積は同じであるため、正常なアドレス放電が発生する。すなわち、アドレス放電は、Ｙ電極に印加されるスキャンパルスとＡ電極に印加されるスキャンパルスとの間の電位差によって決定されるが、Ｙ電極の第１面積（占有面積）が第２面積（電極面積）と等しくて正規の面積であるため、正常なアドレス放電が発生する。
【００６６】
次に、図８を参照して、位置合わせ誤差が発生した制御型プラズマ表示パネルの放電セルにおける、維持電極及び走査電極の面積（すなわち、放電面積）について説明する。図８は、位置合わせ誤差が発生した制御型プラズマ表示パネルにおける、維持電極及び走査電極の面積を示した図である。
【００６７】
図８に示されたように、位置合わせ誤差が発生したということは、行方向に延長された第１隔壁部材から位置が外れて、Ｘ電極のバス電極及びＹ電極のバス電極が形成されたことをいう。
【００６８】
位置合わせ誤差が発生した場合、各放電セルの放電空間は、列方向の辺の長さが位置合わせ誤差量だけ短くなる。上記位置合わせ誤差量とは、すなわち、行方向の隔壁部材とＸ電極（またはＹ電極）との間の離隔距離である。これにより、各放電セルは、隔壁によって区切られた放電空間Ａよりも狭くなった空間Ａ´を放電空間（放電領域）として使用することになる。そしてこのとき、Ｘ電極の透明電極１０またはＹ電極の透明電極１１のいずれか一方の透明電極は、第１面積が第２面積と等しくなるが、他方の透明電極は第１面積（占有面積）が第２面積（電極面積）よりも小さく（狭く）なる。
【００６９】
従って、このような位置合わせ誤差が発生した制御型プラズマ表示パネルにおいては、図８及び図９（ａ）に示したように、ある１つの放電セル（第１放電セルとする）においては、Ｘ電極の透明電極１０の第１面積は第２面積よりも小さくなる。一方、かかる放電セル（第１放電セル）の、Ｙ電極の透明電極１１の第１面積は第２面積と等しい。そして、図９（ｂ）に示したように、上記第１放電セルに対して列方向に隣接する放電セル（第２放電セルとする）においては、Ｘ電極の透明電極１０の第１面積は第２面積と等しい。一方、かかる放電セル（第２放電セル）の、Ｙ電極の透明電極１１の第１面積は第２面積よりも小さくなる。
【００７０】
つまり、図８の場合は、奇数ラインのＹ電極の第１面積（占有面積）が第２面積（電極面積）よりも小さく、偶数ラインのＹ電極の第１面積は第２面積と等しくなるため、奇数ラインのＹ電極の占有面積と偶数ラインのＹ電極の占有面積とは、相互に異なることになる。また、図８とは異なり、隔壁１２ａの位置がＸ電極及びＹ電極に対して図面の上方向にずれた場合には、偶数ラインのＹ電極の第１面積（占有面積）が第２面積（電極面積）よりも小さくなり、奇数ラインのＹ電極の第１面積は第２面積と等しくなる。従って、この場合にも、奇数ラインのＹ電極の占有面積と偶数ラインのＹ電極の占有面積とは、相互に異なることになる。
【００７１】
アドレス放電は、Ｙ電極に印加されるスキャンパルスとＡ電極に印加されるスキャンパルスとの間の電位差によって決定されるため、Ｙ電極の第１面積（占有面積）が狭い奇数（または偶数）ラインにおいては、アドレス放電が弱放電になったりまたは誤放電となる可能性がある。
【００７２】
以下に、奇数ラインまたは偶数ラインのいずれか一方のラインで発生するアドレス放電の弱放電または誤放電を解消する方法について、図９及び図１０を参照しながら詳細に説明する。
【００７３】
図９は、位置合わせ誤差が発生したプラズマ表示パネルにおける、隣接する２個の放電セルの電極構造を示す図である。図９（ａ）は奇数ラインの放電セルの構造を示し、図９（ｂ）は偶数ラインの放電セルの構造を示したものである。以下、図９（ａ）に示された奇数ラインの放電セルをＡ型放電セルと称し、図９（ｂ）に示された偶数ラインの放電セルをＢ型放電セルと称することとする。
【００７４】
Ａ型放電セルは、Ｙ電極の第１面積（占有面積）が、正常な面積、すなわち第２面積（電極面積）と等しく、Ｙ電極が放電セル内で占める面積が本来Ｙ電極が占めるべき正規の面積となっている。一方、Ｂ型放電セルは、Ｙ電極の第１面積（占有面積）が正常な面積（第２面積）よりも狭く、Ｙ電極が放電セル内で占める面積が本来Ｙ電極が占めるべき正規の面積よりも小さくなっている。
【００７５】
以下、図１０を参照して、本発明の第１の実施の形態にかかるプラズマ表示装置の駆動方法について説明する。図１０は、本発明の第１の実施の形態にかかるプラズマ表示装置の駆動方法を示した駆動波形図であり、プログレッシブ走査方式を使用するプラズマ表示装置の駆動方法に適用することができる。また、図１０に示した駆動波形は、Ｙ電極の駆動波形であって、偶数ラインに位置した放電セルのＹ電極の第１面積（占有面積）が狭い場合に、それぞれのＹ電極に印加される駆動波形が示されている。また、説明の便宜のために、複数のサブフィールドのうちの１つのサブフィールドだけを示した。ここで、Ｘ電極に印加される電圧波形は、位置合わせ誤差がない場合と同一であるため、図１０には示さなかった。また、アドレス期間にＡ電極に印加されるアドレスパルスは、アドレス期間にＹ電極に印加されるスキャンパルスと対応したパルスとなるため、図１０には示さなかった。
【００７６】
制御型プラズマ表示パネルにおいてＹ電極及びＸ電極に位置合わせ誤差が生じた場合、制御部２００は維持電極駆動制御信号及びアドレス駆動制御信号と共に、アドレス期間における偶数ラインにの弱放電または誤放電を解消するための走査電極駆動制御信号を出力する。
【００７７】
走査電極駆動部４００または維持電極駆動部５００は、図１０に示した駆動波形を出力する。図１０に示したように、複数のＹ電極には、リセット期間、アドレス期間及び維持期間に対応する駆動波形が印加される。リセット期間では、全ての放電セルまたは直前のサブフィールドで放電された放電セルを初期化するためのリセット波形が印加される。また、維持期間では、ハイレベル電圧とローレベル電圧が交互に印加されるサステインパルスが印加される。
【００７８】
そして、アドレス期間では、最初の（一番目の）走査ラインを始めとしてスキャンパルスが印加され、その後、順次に最後の走査ラインまでスキャンパルスが印加される。
【００７９】
このとき、複数の走査ラインのうち偶数番目の走査ラインに印加されるスキャンパルスの幅（第２幅）Ｌ２は、奇数番目の走査ラインに印加されるスキャンパルスの幅（第１幅）Ｌ１よりも広い。具体的には、奇数番目の走査ラインに印加されるスキャンパルスの幅Ｌ１は、制御型プラズマ表示パネルに位置合わせ誤差がない場合にアドレス期間にＹ電極に印加されるスキャンパルスの幅と同じである。一方、偶数番目の走査ラインに印加されるスキャンパルスの幅Ｌ２は、制御型プラズマ表示パネルに位置合わせ誤差がある場合にアドレス期間にＹ電極に印加されるスキャンパルスの幅よりも広い。ここで、偶数番目の走査ラインに印加されるスキャンパルスの幅Ｌ２は、位置合わせ誤差の大きさに正比例するように設定されるのがよい。
【００８０】
このとき、奇数番目の走査ラインに位置する放電セルは、Ｙ電極の第１面積が正常なサイズである第２面積と同じであり、Ａ電極の面積も正常なサイズであるので、印加される幅Ｌ１を有するスキャンパルスに対応して正常なアドレス放電が起こる。すなわち、奇数番目の走査ラインに位置する放電セルにおいては、Ｙ電極が放電セル内で正規の面積を占めており、Ａ電極も同様に正規の面積を占めている。従って、Ｙ電極に幅Ｌ１のスキャンパルスを印加し、Ａ電極にも幅Ｌ１のアドレスパルス（図示せず）を印加することにより、期待される正常なアドレス放電を発生させることができる。
【００８１】
一方、偶数番目の走査ラインに位置する放電セルは、Ｙ電極の第１面積が正常なサイズである第２面積より狭いが、幅Ｌ１より広い幅Ｌ２のスキャンパルスが印加され、かかる幅Ｌ２を有するスキャンパルスに対応して、幅Ｌ２を有するアドレスパルス（図示せず）が印加されるので、幅Ｌ２の電圧印加時間によって、弱放電または誤放電を解消することができる。すなわち、偶数番目の走査ラインに位置する放電セルにおいては、Ｙ電極が放電セル内で正規の面積よりも小さい面積しか占めていないため、幅Ｌ１よりも広い幅Ｌ２のスキャンパルスをＹ電極に印加し、Ａ電極にも幅Ｌ２のアドレスパルス（図示せず）を印加する。これにより、電圧の印加時間が幅Ｌ１よりも長い幅Ｌ２となるため、Ｙ電極の占有面積が小さくても、放電が弱放電や誤放電になるのを防止することができ、期待される正常なアドレス放電を発生させることができる。
【００８２】
以下、図１１を参照して、本発明の第２の実施の形態にかかるプラズマ表示装置の駆動方法について説明する。図１１は、本発明の第２実施の形態にかかるプラズマ表示装置の駆動方法を示した駆動波形図であり、インターレース走査方式を使用するプラズマ表示装置の駆動方法に適用することができる。また、図１１に示した駆動波形は、Ｙ電極の駆動波形であって、偶数ラインに位置した放電セルのＹ電極の第１面積（占有面積）が狭い場合に、それぞれのＹ電極に印加される駆動波形が示されている。また、説明の便宜のために、複数のサブフィールドのうちの１つのサブフィールドだけを示した。ここで、Ｘ電極に印加される電圧波形は、位置合わせ誤差がない場合と同一であるため、図１１には示さなかった。また、アドレス期間にＡ電極に印加されるアドレスパルスは、アドレス期間にＹ電極に印加されるスキャンパルスと対応したパルスとなるため、図１１には示さなかった。
【００８３】
図１１に示されたように、本発明の第２の実施の形態にかかるプラズマ表示装置の駆動方法は、先ず奇数番目の走査ラインをスキャンした後に偶数番目の走査ラインをスキャンするといった、走査ラインのスキャン順序が異なる点以外は、第１の実施の形態と同様である。つまり、本発明の第２の実施の形態にかかるプラズマ表示装置の駆動方法においては、第１の実施の形態と同様に、複数の走査ラインのうち偶数番目の走査ラインに印加されるスキャンパルスの幅Ｌ２を、奇数番目の走査ラインに印加されるスキャンパルスの幅Ｌ１よりも広くする。
【００８４】
従って本発明の第２の実施の形態によれば、奇数番目の走査ラインに位置する放電セルは、Ｙ電極の第１面積が正常なサイズである第２面積と同じであり、Ａ電極の面積も正常なサイズであるので、印加される幅Ｌ１を有するスキャンパルスに対応して正常なアドレス放電が起こる。すなわち、奇数番目の走査ラインに位置する放電セルにおいては、Ｙ電極が放電セル内で正規の面積を占めており、Ａ電極も同様に正規の面積を占めている。従って、Ｙ電極に幅Ｌ１のスキャンパルスを印加し、Ａ電極にも幅Ｌ１のアドレスパルス（図示せず）を印加することにより、期待される正常なアドレス放電を発生させることができる。
【００８５】
一方、偶数番目の走査ラインに位置する放電セルは、Ｙ電極の第１面積が正常なサイズである第２面積より狭いが、幅Ｌ１より広い幅Ｌ２のスキャンパルスが印加され、かかる幅Ｌ２を有するスキャンパルスに対応して、幅Ｌ２を有するアドレスパルス（図示せず）が印加されるので、幅Ｌ２の電圧印加時間によって、弱放電または誤放電を解消することができる。すなわち、偶数番目の走査ラインに位置する放電セルにおいては、Ｙ電極が放電セル内で正規の面積よりも小さい面積しか占めていないため、幅Ｌ１よりも広い幅Ｌ２のスキャンパルスをＹ電極に印加し、Ａ電極にも幅Ｌ２のアドレスパルス（図示せず）を印加する。これにより、電圧の印加時間が幅Ｌ１よりも長い幅Ｌ２となるため、Ｙ電極の占有面積が小さくても、放電が弱放電や誤放電になるのを防止することができ、期待される正常なアドレス放電を発生させることができる。
【００８６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８７】
本発明は、プラズマ表示装置及びその駆動方法に適用可能である。
【図面の簡単な説明】
【００８８】
【図１】本発明の実施の形態にかかるプラズマ表示装置の概略的な構成を示す図である。
【図２】本発明の実施の形態にかかるプラズマ表示装置に備えられた、プラズマ表示パネルの第１の例による構造を示す図である。
【図３】本発明の実施の形態にかかるプラズマ表示装置に備えられた、プラズマ表示パネルの第２の例による構造を示す図である。
【図４】本発明の第１の実施の形態にかかる閉鎖型隔壁構造を示した図である。
【図５】本発明の第２の実施の形態にかかる閉鎖型隔壁構造を示した図である。
【図６】本発明の第３の実施の形態にかかる閉鎖型隔壁構造を示した図である。
【図７】位置合わせ誤差がないプラズマ表示パネルにおける、維持電極及び走査電極の面積を示した図である。
【図８】位置合わせ誤差が発生したプラズマ表示パネルにおける、維持電極及び走査電極の面積を示した図である。
【図９】位置合わせ誤差が発生したプラズマ表示パネルにおける、隣接する２個の放電セルの電極構造を示す図である。
【図１０】本発明の第１の実施の形態にかかるプラズマ表示装置の駆動方法を示す駆動波形図である。
【図１１】本発明の第２の実施の形態にかかるプラズマ表示装置の駆動方法を示す駆動波形図である。
【符号の説明】
【００８９】
１００    制御型プラズマ表示パネル
２００    制御部
３００    アドレス駆動部（第３電極駆動部）
４００    走査電極駆動部（第１電極駆動部）
５００    維持電極駆動部（第２電極駆動部）
Ｘ        第２電極（維持電極）
Ｙ        第１電極（走査電極）
Ａ        第３電極（アドレス電極）
１０，１１  透明電極
１２ａ、１２ａ´    第１隔壁部材
１２ｂ、１２ｂ´    第２隔壁部材
１８      放電セル
１８Ｒ    赤色放電セル
１８Ｇ    緑色放電セル
１８Ｂ    青色放電セル
Ｌ１      第１幅
Ｌ２      第２幅
【図１】
2008129591.tif 000003
【図２】
2008129591.tif 000004
【図３】
2008129591.tif 000005
【図４】
2008129591.tif 000006
【図５】
2008129591.tif 000007
【図６】
2008129591.tif 000008
【図７】
2008129591.tif 000009
【図８】
2008129591.tif 000010
【図９】
2008129591.tif 000011
【図１０】
2008129591.tif 000012
【図１１】
2008129591.tif 000013